【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
（ａ）式Ｉ
【化１】
2016506432.tif 000001
において、
ＲがＨまたはＣＨ３であり、
Ｒ１およびＲ２が、独立して、Ｈであるか、ＮＯ２で置換されていてもよい直鎖もしくは分枝鎖のＣ１〜Ｃ８アルキルであるか、またはＲ１およびＲ２は、それらが結合している炭素原子と共にＣ３〜Ｃ１２シクロアルキルを形成し；
Ｒ３およびＲ４が、独立して、Ｈ、直鎖もしくは分枝鎖のＣ１〜Ｃ８アルキル、または式Ｃ（Ｒ１）（Ｒ２）−Ｏ−Ｒ５の基であり、ここでＲ５はＨもしくはＣ（＝Ｏ）−Ｃ（Ｒ）＝ＣＨ２であり、またはＲ３およびＲ４は、それらが結合している炭素原子と共にＣ３〜Ｃ１２シクロアルキルを形成し；
Ｘが、ＯまたはＮＲ６であり、ここでＲ６は、Ｈであるか、ＮＯ２で置換されていてもよい直鎖もしくは分枝鎖のＣ１〜Ｃ８アルキルであるか、またはＲ６は、Ｃ（＝Ｏ）−Ｃ（Ｒ）＝ＣＨ２である、上記式Ｉ
のモノマー単位と共に、アクリル酸もしくはメタクリル酸の１種類もしくは複数種類のエステルもしくはアミドまたはそれらの混合物から形成される、コポリマーと；
（ｂ）水と
を含み、水性エマルジョンである、バインダー組成物。
【請求項２】
Ｒ１がＨであり、かつＲ２が、Ｈであるか、またはＮＯ２で置換されていてもよい直鎖もしくは分枝鎖のＣ１〜Ｃ８アルキルである、請求項１に記載のバインダー組成物。
【請求項３】
Ｒ１およびＲ２が、独立して、ＮＯ２で置換されていてもよい直鎖もしくは分枝鎖のＣ１〜Ｃ８アルキルであるか、またはＲ１およびＲ２が、それらが結合している炭素原子と共にＣ３〜Ｃ１２シクロアルキルを形成する、請求項１に記載のバインダー組成物。
【請求項４】
Ｒ３がＨであり、かつＲ４が、Ｈ、直鎖もしくは分枝鎖のＣ１〜Ｃ８アルキル、または式Ｃ（Ｒ１）（Ｒ２）−Ｏ−Ｒ５の基であるか、
Ｒ３およびＲ４が、独立して、直鎖または分枝鎖のＣ１〜Ｃ８アルキルであるか、あるいは
Ｒ３およびＲ４が、それらが結合している炭素原子と共にＣ３〜Ｃ１２シクロアルキルを形成する、
請求項１〜３のいずれか１項に記載のバインダー組成物。
【請求項５】
Ｒ３およびＲ４が、独立して、直鎖もしくは分枝鎖のＣ１〜Ｃ６アルキル、または式Ｃ（Ｒ１）（Ｒ２）−Ｏ−Ｒ５の基である、請求項１〜４のいずれか１項に記載のバインダー組成物。
【請求項６】
式Ｉのモノマー単位が、２−メチル−２−ニトロプロピルアクリレート；２−メチル−２−ニトロプロピルメタクリレート；２−ニトロブチルアクリレート；２−ニトロブチルメタクリレート；２−メチル−２−ニトロプロパン−１，３−ジイルジアクリレート；２−メチル−２−ニトロプロパン−１，３−ジイルビス（２−メチルアクリレート）；３−ヒドロキシ−２−メチル−２−ニトロプロピルアクリレート；３−ヒドロキシ−２−メチル−２−ニトロプロピルメタクリレート；２−エチル−２−ニトロプロパン−１，３−ジイルジアクリレート；２−エチル−２−ニトロプロパン−１，３−ジイルビス（２−メチルアクリレート）；２−（ヒドロキシメチル）−２−ニトロブチルアクリレート；２−（ヒドロキシメチル）−２−ニトロブチルメタクリレート；３−ヒドロキシ−２−（ヒドロキシメチル）−２−ニトロプロピルアクリレート；３−ヒドロキシ−２−（ヒドロキシメチル）−２−ニトロプロピルメタクリレート；２−（ヒドロキシメチル）−２−ニトロプロパン−１，３−ジイルジアクリレート；２−（ヒドロキシメチル）−２−ニトロプロパン−１，３−ジイルビス（２−メチルアクリレート）；３−ニトロオクタン−４−イルアクリレート；３−ニトロオクタン−４−イルメタクリレート；２−（（アクリロイルオキシ）メチル）−２−ニトロプロパン−１，３−ジイルジアクリレート；２−（（メタクリロイルオキシ）メチル）−２−ニトロプロパン−１，３−ジイルビス（２−メチルアクリレート）；２−メチル−２−ニトロブチルアクリレート；２−メチル−２−ニトロブチルメタクリレート；（１−ニトロシクロヘキシル）メチルアクリレート；（１−ニトロシクロヘキシル）メチルメタクリレート；１−（ニトロメチル）シクロヘキシルアクリレート；１−（ニトロメチル）シクロヘキシルメタクリレート；Ｎ−（２−メチル−２−ニトロプロピル）アクリルアミド；Ｎ−（２−メチル−２−ニトロプロピル）メタクリルアミド；Ｎ，Ｎ−ビス（２−メチル−２−ニトロプロピル）アクリルアミド；Ｎ，Ｎ−ビス（２−メチル−２−ニトロプロピル）メタクリルアミド；２，５，６−トリメチル−２，６−ジニトロヘプタン−３−イルアクリレート；２，５，６−トリメチル−２，６−ジニトロヘプタン−３−イルメタクリレート；Ｎ−イソプロピル−Ｎ−（２−ニトロブチル）アクリルアミド；またはＮ−イソプロピル−Ｎ−（２−ニトロブチル）メタクリルアミドを含む、請求項１に記載のバインダー組成物。
【請求項７】
水系塗料もしくはコーティング剤、接着剤、封止剤、下塗剤、コーキング剤、または充填剤における使用のための、請求項１〜６のいずれか１項に記載のバインダー組成物。
【請求項８】
（ａ）グラインド相と、
（ｂ）請求項１〜６のいずれか１項に記載の組成物であるバインダーを含むレットダウン相と
を含む、水系塗料またはコーティング組成物。
【請求項９】
バインダー固形分の量が、全調合物重量の約２％〜約９０％である、請求項８記載の水系塗料またはコーティング組成物。
【請求項１０】
前記組成物が、約８〜１０のｐＨを有する、請求項８または９記載の水系塗料またはコーティング組成物。
【手続補正２】
【補正対象書類名】明細書
【補正対象項目名】０００７
【補正方法】変更
【補正の内容】
【０００７】
本発明者らは、アクリレートポリマーのニトロ基による官能化が、様々なポリマー特性を改善することをここで見出した。都合のよいことに、ニトロ官能性ポリアクリレートが、水系塗料もしくはコーティング剤または他の調合物においてバインダーとして使用されると、調合物は、良好な硬度、耐薬品性、またはその両方を示し得る。調合物は光沢も改善され得る。
[本発明1001]
（ａ）式Ｉ
[化1]
2016506432.tif 000002
において、
ＲがＨまたはＣＨ3であり、
Ｒ1およびＲ2が、独立して、Ｈであるか、ＮＯ2で置換されていてもよい直鎖もしくは分枝鎖のＣ1〜Ｃ8アルキルであるか、またはＲ1およびＲ2は、それらが結合している炭素原子と共にＣ3〜Ｃ12シクロアルキルを形成し；
Ｒ3およびＲ4が、独立して、Ｈ、直鎖もしくは分枝鎖のＣ1〜Ｃ8アルキル、または式Ｃ（Ｒ1）（Ｒ2）−Ｏ−Ｒ5の基であり、ここでＲ5はＨもしくはＣ（＝Ｏ）−Ｃ（Ｒ）＝ＣＨ2であり、またはＲ3およびＲ4は、それらが結合している炭素原子と共にＣ3〜Ｃ12シクロアルキルを形成し；
Ｘが、ＯまたはＮＲ6であり、ここでＲ6は、Ｈであるか、ＮＯ2で置換されていてもよい直鎖もしくは分枝鎖のＣ1〜Ｃ8アルキルであるか、またはＲ6は、Ｃ（＝Ｏ）−Ｃ（Ｒ）＝ＣＨ2である、上記式Ｉ
のモノマー単位と共に、アクリル酸もしくはメタクリル酸の1種類もしくは複数種類のエステルもしくはアミドまたはそれらの混合物から形成される、コポリマーと；
（ｂ）水と
を含み、水性エマルジョンである、バインダー組成物。
[本発明1002]
Ｒ1がＨであり、かつＲ2が、Ｈであるか、またはＮＯ2で置換されていてもよい直鎖もしくは分枝鎖のＣ1〜Ｃ8アルキルである、本発明1001のバインダー組成物。
[本発明1003]
Ｒ1およびＲ2が、独立して、ＮＯ2で置換されていてもよい直鎖もしくは分枝鎖のＣ1〜Ｃ8アルキルであるか、またはＲ1およびＲ2が、それらが結合している炭素原子と共にＣ3〜Ｃ12シクロアルキルを形成する、本発明1001のバインダー組成物。
[本発明1004]
Ｒ3がＨであり、かつＲ4が、Ｈ、直鎖もしくは分枝鎖のＣ1〜Ｃ8アルキル、または式Ｃ（Ｒ1）（Ｒ2）−Ｏ−Ｒ5の基である、本発明1001〜1003のいずれかのバインダー組成物。
[本発明1005]
Ｒ3およびＲ4が、独立して、直鎖もしくは分枝鎖のＣ1〜Ｃ8アルキルであるか、またはＲ3およびＲ4が、それらが結合している炭素原子と共にＣ3〜Ｃ12シクロアルキルを形成する、本発明1001〜1003のいずれかのバインダー組成物。
[本発明1006]
Ｒ3およびＲ4が、独立して式Ｃ（Ｒ1）（Ｒ2）−Ｏ−Ｒ5の基である、本発明1001〜1003のいずれかのバインダー組成物。
[本発明1007]
式Ｉのモノマー単位が、2−メチル−2−ニトロプロピルアクリレート；2−メチル−2−ニトロプロピルメタクリレート；2−ニトロブチルアクリレート；2−ニトロブチルメタクリレート；2−メチル−2−ニトロプロパン−1，3−ジイルジアクリレート；2−メチル−2−ニトロプロパン−1，3−ジイルビス（2−メチルアクリレート）；3−ヒドロキシ−2−メチル−2−ニトロプロピルアクリレート；3−ヒドロキシ−2−メチル−2−ニトロプロピルメタクリレート；2−エチル−2−ニトロプロパン−1，3−ジイルジアクリレート；2−エチル−2−ニトロプロパン−1，3−ジイルビス（2−メチルアクリレート）；2−（ヒドロキシメチル）−2−ニトロブチルアクリレート；2−（ヒドロキシメチル）−2−ニトロブチルメタクリレート；3−ヒドロキシ−2−（ヒドロキシメチル）−2−ニトロプロピルアクリレート；3−ヒドロキシ−2−（ヒドロキシメチル）−2−ニトロプロピルメタクリレート；2−（ヒドロキシメチル）−2−ニトロプロパン−1，3−ジイルジアクリレート；2−（ヒドロキシメチル）−2−ニトロプロパン−1，3−ジイルビス（2−メチルアクリレート）；3−ニトロオクタン−4−イルアクリレート；3−ニトロオクタン−4−イルメタクリレート；2−（（アクリロイルオキシ）メチル）−2−ニトロプロパン−1，3−ジイルジアクリレート；2−（（メタクリロイルオキシ）メチル）−2−ニトロプロパン−1，3−ジイルビス（2−メチルアクリレート）；2−メチル−2−ニトロブチルアクリレート；2−メチル−2−ニトロブチルメタクリレート；（1−ニトロシクロヘキシル）メチルアクリレート；（1−ニトロシクロヘキシル）メチルメタクリレート；1−（ニトロメチル）シクロヘキシルアクリレート；1−（ニトロメチル）シクロヘキシルメタクリレート；Ｎ−（2−メチル−2−ニトロプロピル）アクリルアミド；Ｎ−（2−メチル−2−ニトロプロピル）メタクリルアミド；Ｎ，Ｎ−ビス（2−メチル−2−ニトロプロピル）アクリルアミド；Ｎ，Ｎ−ビス（2−メチル−2−ニトロプロピル）メタクリルアミド；2，5，6−トリメチル−2，6−ジニトロヘプタン−3−イルアクリレート；2，5，6−トリメチル−2，6−ジニトロヘプタン−3−イルメタクリレート；Ｎ−イソプロピル−Ｎ−（2−ニトロブチル）アクリルアミド；またはＮ−イソプロピル−Ｎ−（2−ニトロブチル）メタクリルアミドを含む、本発明1001のバインダー組成物。
[本発明1008]
水系塗料もしくはコーティング剤、接着剤、封止剤、下塗剤、コーキング剤、または充填剤における使用のための、本発明1001〜1007のいずれかのバインダー組成物。
[本発明1009]
（ａ）グラインド相と、
（ｂ）本発明1001〜1007のいずれかの組成物であるバインダーを含むレットダウン相と
を含む、水系塗料またはコーティング組成物。
[本発明1010]
2−メチル−2−ニトロプロパン−1，3−ジイルビス（2−メチルアクリレート）；3−ヒドロキシ−2−メチル−2−ニトロプロピルアクリレート；3−ヒドロキシ−2−メチル−2−ニトロプロピルメタクリレート；2−エチル−2−ニトロプロパン−1，3−ジイルビス（2−メチルアクリレート）；2−（ヒドロキシメチル）−2−ニトロブチルアクリレート；2−（ヒドロキシメチル）−2−ニトロブチルメタクリレート；3−ヒドロキシ−2−（ヒドロキシメチル）−2−ニトロプロピルメタクリレート；2−（ヒドロキシメチル）−2−ニトロプロパン−1，3−ジイルジアクリレート；2−（ヒドロキシメチル）−2−ニトロプロパン−1，3−ジイルビス（2−メチルアクリレート）；3−ニトロオクタン−4−イルアクリレート；3−ニトロオクタン−4−イルメタクリレート；2−（（メタクリロイルオキシ）メチル）−2−ニトロプロパン−1，3−ジイルビス（2−メチルアクリレート）；2−メチル−2−ニトロブチルアクリレート；2−メチル−2−ニトロブチルメタクリレート；（1−ニトロシクロヘキシル）メチルアクリレート；（1−ニトロシクロヘキシル）メチルメタクリレート；1−（ニトロメチル）シクロヘキシルアクリレート；1−（ニトロメチル）シクロヘキシルメタクリレート；Ｎ−（2−メチル−2−ニトロプロピル）メタクリルアミド；Ｎ，Ｎ−ビス（2−メチル−2−ニトロプロピル）アクリルアミド；Ｎ，Ｎ−ビス（2−メチル−2−ニトロプロピル）メタクリルアミド；2，5，6−トリメチル−2，6−ジニトロヘプタン−3−イルアクリレート；2，5，6−トリメチル−2，6−ジニトロヘプタン−3−イルメタクリレート；Ｎ−イソプロピル−Ｎ−（2−ニトロブチル）アクリルアミド；またはＮ−イソプロピル−Ｎ−（2−ニトロブチル）メタクリルアミドである化合物。